(57)【要約】      （修正有）【課題】安全に雪を採取し、雪の廃棄のための労力を少なくできる除雪機を提供する。【解決手段】除雪機のシャベル反転機構は、フレーム１０と、このフレームの両側に設けたコンベア車１１と、ハンドルバー１３と、雪採取のためのシャベル１５とより成り、シャベルはハンドルバーに固定され、フレームはハンドルバーを傾動自在に枢支するためフレームのハンドルバー側に固定した軸ベース１２と、シャベル側に固定したガイドプレート２０とを有し、ガイドプレートはシャベルに設けたピン１６が挿入される弧状のガイド溝２１を有する。ハンドルバーを傾動することによってシャベルを上または下に移動したとき弧状のガイド溝に沿ってピンが移動しシャベルの雪採取縁が上方または下方に向くよう傾斜して雪の採取操作と廃棄操作がなされる。【選択図】図５
2015197042.tif 000002
【特許請求の範囲】
【請求項１】
フレームと、このフレームの両側に設けたコンベア車と、ハンドルバーと、雪採取のためのシャベルとより成り、上記シャベルは上記ハンドルバーに固定され、上記フレームは上記ハンドルバーを傾動自在に枢支するための軸ベースと、ガイドプレートとを有し、上記ガイドプレートは上記シャベルに設けたピンが挿入される弧状のガイド溝を有し、上記ハンドルバーを傾動することによって上記シャベルを上または下に移動したとき上記弧状のガイド溝に沿って上記ピンが移動し上記シャベルの雪採取縁が上方または下方に向くよう傾斜して雪の採取操作と廃棄操作がなされることを特徴とする、除雪車のシャベル反転機構。
【請求項２】
上記ガイドプレートが装飾機能を有する請求項１記載の除雪車のシャベル反転機構。  
【発明の詳細な説明】
【技術分野】
【０００１】
本発明は、除雪機のフレームの前部に配置したガイドプレートに形成したガイド溝にピンを介してシャベルを挿入できるようにした除雪機のシャベル反転機構に関するものである。シャベルは雪を採取後除雪機の後部のハンドルバーを制御することによって、弧状のガイド溝に沿って上動され、簡単且つ自動的に反転され、雪を廃棄できるようになる。
【背景技術】
【０００２】
大雪の間に積もった雪は密度が大きくなるために積もった雪を効果的に速く除くためには除雪機の使用が必要となる。従来の除雪機によって屋外の多量の積雪を広い範囲で効果的に採取するには補助機構を必要とするが効果的に除雪するのは困難である。自動大型除雪機はここでは検討せず、記載しない。一般に小型の除雪機に用いられている雪の採取と廃棄を行なうシャベルの多くは一定の角度に固定されている。雪を採取したシャベルを移動する間はフレームを或る角度傾斜した状態で押しているが、このようにしなければ採取された雪が容易にこぼれ落ち、押すのが困難となる。更に、シャベルが固定されているデザインのものでは、雪を採取したシャベルから雪を廃棄する間、雪の廃棄を好ましく制御するためプレート面を傾斜せしめる必要がある。このためシャベルの制御が困難となり、シャベルの移動に危険が及ぶことになり、プレート面の傾斜の程度によっては雪の廃棄の間シャベルを固定することが困難となる。従って、迅速で効果的な雪の採取を達成し、労力を実用的に省くため、現在のシャベルは自動的に反転し、雪を廃棄するように改良されるべきである。本発明の除雪機はこのように改良された。
【発明の概要】
【０００３】
雪の採取と廃棄を行なう現在の除雪機の欠点を考慮して発明者は種々実験研究を行なった結果、本発明の除雪機の改良されたシャベル反転機構が得られた。除雪機を操作し、制御するためのハンドルバーがフレームバーを介してシャベルに固定されている。除雪機前部に配置したガイドプレートとシャベルがピンを介して互に結合されている。シャベルの反転と雪の廃棄の単純な操作と制御が弧状のガイド溝に応じてなされる。従って、雪の運搬と廃棄の間における現在の除雪機の操作と制御における種々の実用上の欠点が確実に改良される。
【０００４】
本発明の主な目的は、除雪機を操作し、制御するためのハンドルバーにフレームバーを介してシャベルを結合し、フレームの前側に配置したガイドプレートの弧状のガイド溝にピンを介してシャベルを取り付けることにある。従って、ハンドルバーの制御を介して雪の採取後シャベルを好適に移動でき、ガイド溝に沿ってシャベルを自動的に反転し、雪を廃棄できるようになる。かくして、安全に雪を採取し、雪の廃棄のための労力を少なくできる除雪機を得ることができる。
【図面の簡単な説明】
【０００５】
【図１】図１は、本発明の除雪機の説明図である。
【図２】図２は、本発明の除雪機の側面図である。
【図３】図３はシャベルによって雪を採取する状態の本発明の除雪機の説明図である。
【図４】図４はシャベルの雪を廃棄する状態の本発明の除雪機の説明図である。
【図５】図５はシャベルの雪が除去した状態の本発明の除雪機の説明図である。
【発明を実施するための形態】
【０００６】
本発明の除雪機の改良された構成及び作用を図面を基に詳細に説明する。
【０００７】
本発明の除雪機の改良されたシャベル反転機構においては、除雪機のシャベルによる雪の採取と廃棄を容易且つ安全になし得る。図１〜図５に示すように改良されたシャベル反転機構にはフレーム１０を設ける。コンベア車アセンブリ１１をフレーム１０の前後に設ける。フレームバー１４を介して変形円錐形状のシャベル１５を駆動操縦用ハンドルバー１３に連結し、このハンドルバー１３を傾動自在に枢支するための軸ベース１２をフレーム１０の後部に設ける。シャベル１５を、ハンドルバー１３を傾動制御することによって高い位置と低い位置間に移動できるようにする。特定の弧状ガイド溝２１を有するガイドプレート２０をフレーム１０の前部シャベル取付側にシャベルの中央位置で配置固定する。シャベル１５の背面の上端に設けたリンクピン１６をガイド溝２１に挿入する。ハンドルバー１３を上下に押して傾動することによってピン１６を介して弧状ガイド溝２１に沿ってシャベル１５の位置が変わるようにする。ガイドプレート２０の形状は、装飾上の要求に応じて定める。例えば、図に示す魚形状のものは除雪機の装飾性を向上する。シャベル１５をガイドプレート２０の上端に移動することによってシャベル１５の雪採取縁を下向きに傾斜して雪の廃棄操作を行なうことができる。シャベル１５の位置を好ましく変更することによって雪の採取操作が容易となり除雪車の移動の間に雪がこぼれ落ちないようにすることができる。雪の採取と清掃を、より単純で便利な制御によってより速く、単純で安全な作業でなし得、実用的な効果を達成することができる。
【０００８】
本発明の雪採取のためのシャベル１５を有する改良された除雪機は、ハンドルバー１３に接続されたシャベル１５の角度をハンドルバー１３を介して、雪採取のために簡単に変え得ることを特徴とする。更に、図３に示すようにシャベルによって雪を採取した後雪がこぼれるのを防ぐためハンドルバー１３を押し下げてガイドプレート２０のガイド溝２１内のピン１６の位置を変えてシャベル１５の雪採取縁を僅か上昇せしめる。弧状溝の形状はシャベルの位置を定めるために定める。駆動制御のため他の電子装置を補助的に用いることができる。然しながら、このような電子装置を用いることは重要なことでないためその詳細な説明は省略する。本発明の主要部分は、シャベル１５のピン１６とガイド溝２１の係合及びハンドルバー１３の直接制御に存ずる。採取した雪をこぼすことなく除雪車の移動により容易に雪を運ぶことができる。更に図４及び図５に示すようにシャベル１５を弧状溝に沿って高い雪採取位置に押し上げ、また、シャベルの縁を自動的に下向きに傾斜して雪を廃棄できるようにする。更に、連続した雪採取により蓄積された雪の廃棄のためシャベルを高い位置に自動的に容易に移動せしめることができる。蓄積された雪を除去するための雪採取操作を連続的にまたは間歇的に行なうことができる。
【０００９】
本発明の除雪車の改良されたシャベル反転機構によれば、シャベルとハンドルバーをガイドプレートの弧状のガイド溝を介して互いに結合し、シャベルによって雪の採取と雪の運搬を間歇的に行ない、シャベルを自動的に反転して雪を廃棄でき、本発明の除雪機を安全且つ容易に連続的に制御できる。
【符号の説明】
【００１０】
１０はフレーム、１１はコンベア車、１２は軸ベース、１３はハンドルバー、１４はフレームバー、１５はシャベル、１６はピン、２０はガイドプレート、２１はガイド溝である。  
【図１】
2015197042.tif 000003
【図２】
2015197042.tif 000004
【図３】
2015197042.tif 000005
【図４】
2015197042.tif 000006
【図５】
2015197042.tif 000007